(57)【要約】      （修正有）【課題】個々のペニスのサイズにかかわらず自分のペニスの高さ位置にて安定して保持することができ、下腹部を冷やすこともなく、睾丸が湿ったり蒸れたりすることもない男性用尿パッドを提供する。【解決手段】男性用尿パッド１は袋状のパッド本体２と尿吸収体３とを備える。パッド本体２は後側シート部４と前側シート部５とを有する。後側シート部４は柔軟性及び通気性を有する紙質の素材で形成されている。後側のシート上部４２は固い芯材４４が埋設されてペニス挿入孔４１にペニス９１を挿入したときの高さ位置に合わせて任意の位置で下方へ向けて折り曲げられるパンツ引っ掛け代４５を形成できるように構成されている。前側のシート上部５１はペニス挿入孔４１と対向する中央部全体に伸縮するギャザー部７が形成されている。尿吸収体３はペニス挿入孔４１の下端近くからパッド本体下部を経由してギャザー部７の下端近くまで配設されている。【選択図】図１
2019017970.tif 000002
【特許請求の範囲】
【請求項１】
ペニスを収容する袋状のパッド本体と、パッド本体の内面に設けられた尿吸収体とを備え、
パッド本体は、下腹部に接する側に配置される後側シート部と該後側シート部と対向する側に配置される前側シート部とをなすように一枚のシートを折り返して形成されたものであり、前側シート部と後側シート部とが下部で連続し左右端が接合されて上方部が開口された袋状に形成されており、
後側シート部は、柔軟性及び通気性を有する紙質の素材で形成されており、パッド本体内にペニスを収容させるためのペニス挿入孔と、前側シート部の上端よりも上方へ長く延びて下腹部に接触するシート上部と、睾丸とパッド本体内に収容したペニスとの間に介在するシート下部とを有し、
後側シート部のシート上部は、左右両端部に上下方向にわたり固い芯材が埋設されてペニス挿入孔にペニスを挿入したときの高さ位置に合わせて任意の位置で下方へ向けて折り曲げられるパンツ引っ掛け代を形成できるように構成されており、
前側シート部のシート上部は、左右両端部を残して後側シート部のペニス挿入孔と対向する中央部全体を切り欠いて該切り欠き中央部全体には伸縮するギャザー部が形成されており、
尿吸収体は、ペニス挿入孔の下端近くから後側シート部の内面に沿って下方へ延在し、パッド本体下部の後側シート部と前側シート部との連続部を経由して前側シート部の内面に沿って上方へ延在してギャザー部の下端近くまで配設されている男性用尿パッド。
【請求項２】
ペニスを収容する袋状のパッド本体と、パッド本体の内面に設けられた尿吸収体とを備え、
パッド本体は、下腹部に接する側に配置される後側シート部と該後側シート部と対向する側に配置される前側シート部とをなすように一枚のシートを折り返して形成されたものであり、前側シート部と後側シート部とが下部で連続し左右端が接合されて上方部が開口された袋状に形成されており、
後側シート部は、柔軟性及び通気性を有する紙質の素材で形成されており、パッド本体内にペニスを収容させるためのペニス挿入孔と、前側シート部の上端よりも上方へ長く延びて下腹部に接触するシート上部と、睾丸とパッド本体内に収容したペニスとの間に介在するシート下部とを有し、
後側シート部のシート上部は、左右両端部に上下方向にわたり固い芯材が埋設されてペニス挿入孔にペニスを挿入したときの高さ位置に合わせて任意の位置で固定できるようにシート上部内面に下半身の下着に貼り付け可能なパンツ粘着部が形成されており、
前側シート部のシート上部は、左右両端部を残して後側シート部のペニス挿入孔と対向する中央部全体を切り欠いて該切り欠き中央部全体には伸縮するギャザー部が形成されており、
尿吸収体は、ペニス挿入孔の下端近くから後側シート部の内面に沿って下方へ延在し、パッド本体下部の後側シート部と前側シート部との連続部を経由して前側シート部の内面に沿って上方へ延在してギャザー部の下端近くまで配設されている男性用尿パッド。
【請求項３】
請求項１又は２に記載の男性用尿パッドにおいて、
前側シート部のシート下部の外面には下半身の下着に貼り付け可能な粘着部が形成されている男性用尿パッド。
【請求項４】
請求項１〜３のいずれか１項に記載の男性用尿パッドにおいて、
前記ペニス挿入孔は、後側シート部において１点から法線方向に延びる複数の切り込みが設けられ、各切り込み間に形成される複数の三角片が形成され、各三角片がペニスの挿入によりめくれ上がり可能に開閉してペニスの外径の大きさに合わせて各三角片がめくれ上がってペニスの根元の外周にフィットするように構成されている男性用尿パッド。
【請求項５】
請求項４に記載の男性用尿パッドにおいて、
前記ペニス挿入孔は、上側に円弧を描く扇型の範囲において、この円弧の中心点から法線方向に延びる複数の切り込みが設けられ、各切り込み間に形成される複数の三角片が上側にのみ形成されている男性用尿パッド。
【発明の詳細な説明】
【技術分野】
【０００１】
本発明は、中高年等の男性の尿漏れに対して普段の予防用及び外出時の装着用として使用される男性用尿パッドに関する。
【背景技術】
【０００２】
中高年の男性にあっては、ちょっとした拍子や排尿直後に尿漏れすることが多くなると言われている。介護を要する老人では、無意識に尿漏れすることがある。このような尿漏れによってズボンまで濡らし恥ずかしい思いをしてしまう。最近は７０歳くらいの高齢者でも仕事を続ける男性も多くなりつつあり、また、退職後に余暇を楽しむ男性も多く、外の社会で長い時間を過ごすことも多い。男性はいくつになっても男らしくありたい若々しくありたいという願望もあり、尿漏れによって恥ずかしい思いはしたくない。
【０００３】
従来、男性の尿漏れ対処としては男性用の尿パッドが知られている。この男性用尿パッドは、略全体が尿吸収体からなるシート状のものが多く出まわっており、これをパンツ（下半身の下着）の前身頃あたりに貼り付けて、この尿パッドにペニスを配置させるようにしている。
【先行技術文献】
【特許文献】
【０００４】
【特許文献１】特開２０１５−２９５３０号公報
【発明の概要】
【発明が解決しようとする課題】
【０００５】
しかしながら、従来の尿パッドでは、ペニスの長さや大きさが人によって大小様々であるため、自分のペニスの高さ位置で尿パッドが適切に配置されなかったり、歩行等によってペニスの鬼頭が尿パッドから食み出してしまうことがある。そのため、尿を漏らしたときに尿パッドの外に尿を漏らしてしまい、尿パッドが全く役に立たないという場合があった。
【０００６】
また、従来の尿パッドでは、ペニスの裏側は睾丸と接した状態にあるから、尿漏れしたときに一部の尿が睾丸に回り込んでしまい、すべての尿を吸収することができない。そのため、睾丸が湿ったり蒸れたりすることを確実に防ぐことができなかった。
【０００７】
また、従来の尿パッドは、略全体が尿吸収体で形成されているので、パンツへの貼り付け位置が上過ぎたりペニスが小ぶり等の場合は、尿吸収体の一部が下腹部に接して下腹部を冷やし、小便を普通より近くしてしまうおそれがあった。
【０００８】
本発明は、以上の事情に鑑みてなされたものであり、個々のペニスのサイズにかかわらず自分のペニスの高さ位置にて安定して保持することができ、下腹部を冷やすこともなく、睾丸が湿ったり蒸れたりすることもない男性用尿パッドを提供することを目的とする。
【課題を解決するための手段】
【０００９】
本発明に係る男性用尿パッドは、
ペニスを収容する袋状のパッド本体と、パッド本体の内面に設けられた尿吸収体とを備え、
パッド本体は、下腹部に接する側に配置される後側シート部と該後側シート部と対向する側に配置される前側シート部とをなすように一枚のシートを折り返して形成されたもの
であり、前側シート部と後側シート部とが下部で連続し左右端が接合されて上方部が開口された袋状に形成されており、
後側シート部は、柔軟性及び通気性を有する紙質の素材で形成されており、パッド本体内にペニスを収容させるためのペニス挿入孔と、前側シート部の上端よりも上方へ長く延びて下腹部に接触するシート上部と、睾丸とパッド本体内に収容したペニスとの間に介在するシート下部とを有し、
後側シート部のシート上部は、左右両端部に上下方向にわたり固い芯材が埋設されてペニス挿入孔にペニスを挿入したときの高さ位置に合わせて任意の位置で下方へ向けて折り曲げられるパンツ引っ掛け代を形成できるように構成されており、
前側シート部のシート上部は、左右両端部を残して後側シート部のペニス挿入孔と対向する中央部全体を切り欠いて該切り欠き中央部全体には伸縮するギャザー部が形成されており、
尿吸収体は、ペニス挿入孔の下端近くから後側シート部の内面に沿って下方へ延在し、パッド本体下部の後側シート部と前側シート部との連続部を経由して前側シート部の内面に沿って上方へ延在してギャザー部の下端近くまで配設されているものである。
【００１０】
また、本発明に係る男性用尿パッドの他の形態として、後側シート部のシート上部は、上記パンツ引っ掛け代に代えて、ペニス挿入孔にペニスを挿入したときの高さ位置に合わせて任意の位置で固定できるようにシート上部内面に下半身の下着に貼り付け可能なパンツ粘着部が形成されたものとする。
【００１１】
また、前側シート部のシート下部の外面には下半身の下着に貼り付け可能な粘着部が形成されるようにしてもよい。
【００１２】
また、前記ペニス挿入孔は、後側シート部において１点から法線方向に延びる複数の切り込みが設けられ、各切り込み間に形成される複数の三角片が形成され、各三角片がペニスの挿入によりめくれ上がり可能に開閉してペニスの外径の大きさに合わせて各三角片がめくれ上がってペニスの根元の外周にフィットするように構成することができる。この場合、前記ペニス挿入孔は、上側に円弧を描く扇型の範囲において、この円弧の中心点から法線方向に延びる複数の切り込みが設けられ、各切り込み間に形成される複数の三角片が上側にのみ形成されていることが好ましい。
【発明の効果】
【００１３】
本発明に係る男性用尿パッドによれば、個々のペニスのサイズにかかわらず自分のペニスの高さ位置にて本男性用尿パッドを安定して保持することができ、また、下腹部を冷やすこともなく、睾丸が湿ったり蒸れたりすることもない。
【図面の簡単な説明】
【００１４】
【図１】実施形態による男性用尿パッドを示す断面図である。
【図２】下着（下半身用）を着けた状態での男性用尿パッドの状態を示す断面図である。
【図３】男性用尿パッドの前側を示す平面図（同図（ａ））、後側を示す平面図（同図（ｂ））である。
【図４】小便をするときの男性用尿パッドの状態を示す断面図である。
【図５】他の実施形態による男性用尿パッドを示す断面図である。
【図６】ペニス挿入孔の他の例として、開閉可能とした構成例を示す図であり、男性用尿パッドを後側から後側シート部を正面に見た平面図である。
【図７】ペニス挿入孔の他の例として、開閉可能とした他の構成例を示す図であり、男性用尿パッドを後側から後側シート部を正面に見た平面図である。
【発明を実施するための形態】
【００１５】
以下に、本発明の実施形態について図面を参照しながら説明する。
図１、図２、図３に示すように、実施形態の男性用尿パッド１は、ペニス９１を収容する袋状のパッド本体２と、パッド本体２の内面に設けられた尿吸収体３とを備えている。パッド本体２は、一枚のシートを折り返すようにして上方部が開口した袋状に形成されている。パッド本体２は、下腹部９３に接する側に配置される後側シート部４と、後側シート部４と対向する側に配置される前側シート部５とを有し、前側シート部５と後側シート部４とは、下部で連続して形成され、左右両端が接合され、上方部が開口されており、全体として上方開口部２１を有した袋状となっている。パッド本体２は、柔軟性及び通気性を有する紙質の素材から形成されている。従って、パッド本体２を形成する前側シート部５及び後側シート部４も同様の紙質の素材で形成されている。柔軟性及び通気性を有する紙質素材として、例えば、キッチンペーパーに使用される紙質素材が例示される。
【００１６】
後側シート部４は、前側シート部５よりも上に長く形成されており、略中央部にはパッド本体２内にペニス９１を収容させるためのペニス挿入孔４１が形成されている。後側シート部４は、ペニス挿入孔４１より上にあって前側シート部５の上端よりも上方へ長く延びて下腹部９３に接触するシート上部４２を有する。後側シート部４のシート上部４２は、左右両端部４２ａ，４２ｂに上下方向全長にわたり固い芯材４４が埋設されてペニス挿入孔４１にペニス９１を挿入したときの高さ位置に合わせて任意の位置（例えば、図３（ｂ）中の一点鎖線のライン）で下方へ向けて折り曲げられるパンツ引っ掛け代４５を形成できるように構成されている。芯材４４は、折り曲げ自在であり折り曲げた状態が保持されるものが使用され、例えば、厚紙等の紙質素材が使用される。
【００１７】
これにより、ペニス９１をペニス挿入孔４１に挿入し下半身用の下着８１の上端位置に合わせてパンツ引っ掛け代４５を任意の高さ位置に形成することができる。従って、個々のペニス９１の長さサイズに応じてペニス９１を自分の高さ位置にて本男性用尿パッド１を安定して保持することができる。また、ペニス挿入孔４１に挿入したペニス９１を袋状のパッド本体２により略全体が包み込まれるように配置することができる。さらに、パンツ引っ掛け代４５を形成して下着８１の上端に引っ掛けることで歩行等によって男性用尿パッド１が位置ズレすることもない。また、前側シート部５のシート下部５２の外面には下半身用下着８１の前身頃の裏側面に貼り付く粘着部６が形成されている。これにより、男性用尿パッド１の装着状態をさらに安定して保持させることができ、男性用尿パッド１の位置ズレをより確実に防止することができる。なお、前側シート部５は粘着部６を設けない構成であってもよい。以上より、個々のペニス９１のサイズにかかわらず自分のペニス９１の高さ位置にて本男性用尿パッド１を安定して保持することができ、尿漏れした場合には尿を外に漏らすことなく尿吸収体３によって確実に略全ての尿を吸収することができる。よって、尿を漏らしても下半身用下着８１やズボン８２を濡らすことが無く、恥ずかしい思いをすることもない。
【００１８】
後側シート部４のシート上部４２は、柔軟性及び通気性を有する紙質の素材で形成されているから、この後側シート部４のシート上部４２が下腹部９３に接することで下腹部９３を冷やすこともない。従って、従来のシート型尿パッドのように尿吸収体３が下腹部９３に接触して下腹部９３を冷やし小便を近くするといった心配もない。むしろ、下腹部９３に接する後側シート部４のシート上部４２によって下腹部９３が温まって小便を正常な時期に行えるようにすることができる。
【００１９】
また、後側シート部４のシート下部４３は、ペニス挿入孔４１より下にあって睾丸９２とパッド本体２内に収容したペニス９１との間に介在するように構成されている。これにより、ペニス９１と睾丸９２が直接接触しないし、尿漏れしたときに尿の一部が睾丸９２へ回り込むこともない。後側シート部４のシート下部４３も柔軟性及び通気性を有する紙質の素材で形成されているので、肌触りが良く通気性も良い。従って、睾丸９２が湿ったり蒸れたりすることもない。
【００２０】
前側シート部５は、後側シート部４のペニス挿入孔４１と対向するシート上部５１が伸び縮みするギャザー部７となっている。ギャザー部７は、ペニス挿入孔４１と対向するように設けられている。すなわち、前側シート部５のシート上部５１は、左右両端部５１ａ，５１ｂを残してペニス挿入孔４１と対向する中央部全体を切り欠いて、この切り欠き中央部全体に伸縮するギャザー部７が形成されている。ギャザー部７は、例えば、柔軟な紙又は布からなり、この紙又は布の素材がひだ状に寄せ集められて前側シート部５の左右方向に伸縮可能とし、指を引っ掛けて引っ張ると簡単に伸びるように構成されたものである。前側シート部５の上端、すなわちギャザー部７の上端の位置は、後側シート部４のペニス挿入孔４１の上端の位置より少し高い位置に配置されているが、ペニス挿入孔４１の上端と略同じ高さか、ペニス挿入孔４１の上端より少し低い高さであってもよい。また、ギャザー部７の上下幅は、ペニス挿入孔４１の直径より大きく形成されているが、ペニス挿入孔４１よりも小さく形成されていてもよい。
【００２１】
従って、小便をするときは、図４に示すように、ペニス挿入孔４１と対向する前側シート部５のシート上部５１が伸び縮みするギャザー部７となっているので、男性用尿パッド１を装着した状態でギャザー部７を指で引き下げて、他方の手でペニス９１を摘まみ出して鬼頭を外に簡単にかつ素早く引っ張り出すことができる。従って、ズボン８２や下半身用の下着８１をずらすことなく付けた状態のままでペニス９１をズボン８２の社会の窓から外に引っ張り出すことができる。また、ペニス９１の鬼頭をズボン８２の外に出した状態ではギャザー部７でペニス９１を下から支えることができる。従って、小便器で小便をするときも簡単かつ楽に用を足すことができる。
【００２２】
尿吸収体３は、吸水性ポリマーを有する高吸水性シートからなり、パッド本体２の内面に貼り付け又は縫い付け等によって設けられている。この尿吸収体３は、ペニス挿入孔４１の下端近くから後側シート部４の内面に沿って下方へ延在し、パッド本体２下部の後側シート部４と前側シート部５との連続部を経由して前側シート部５の内面に沿って上方へ延在してギャザー部７の下端近くまで配設されている。また、上述のとおり、個々のペニス９１の長さサイズにかかわらず自分のペニス９１の高さ位置にて本男性用尿パッド１を安定して保持することができる。従って、尿吸収体３がペニス９１の鬼頭から根元側への一定範囲を前後から確実に覆うことができる。よって、尿漏れしたときに前後に放尿されても尿吸収体３によって尿を確実に吸収して外に漏らすことがない。
【００２３】
図５は、他の実施形態を示し、この実施形態の男性用尿パッド１Ａでは、後側シート部４のシート上部４２は、上記パンツ引っ掛け代４５に代えて、シート上部４２の内面に下半身用下着８１の前身頃の上部裏側面に貼り付け可能なパンツ粘着部４６が形成されたものである。パンツ粘着部４６が下着８１に貼り付くことにより、後側シート部４のペニス挿入孔４１にペニス９１を挿入したときのペニス９１を自分の高さ位置に合わせて任意の位置で男性用尿パッド１Ａを安定して固定することができ、しかも、このような男性用尿パッド１Ａの固定を簡単かつ素早く行うことができる。
【００２４】
図６は、他の実施形態として、開閉可能なペニス挿入孔の例を示す。この図６に示すペニス挿入孔４１Ａは、後側シート部４を円形に切り抜いた貫通孔ではなく、上側にほぼ半円程度の円弧を描く扇型の範囲において、この円弧の中心点から法線方向に延びる複数の切り込み４７が設けられ、各切り込み４７間に形成される複数の三角片４８がのれんのような感じで上側にのみ形成されて孔を閉じ、ペニス９１の挿入により各三角片４８が弁のように上方にめくれ上がって孔を開くという具合に、各三角片４８により開閉可能なペニス挿入孔４１Ａを構成している。
【００２５】
ところで、図１に示した貫通孔からなるペニス挿入孔４１では、ペニス９１の外径が小サイズの場合、ペニス９１とペニス挿入孔４１との間に大きな隙間が生じてペニス９１が自由に動くような不安定感を生じさせ得る。また、ペニス９１の外径が大サイズの場合、ペニス挿入孔４１によりペニス９１が締め付けられるような圧迫感を生じさせ得る。
【００２６】
これに対して、図６に示す開閉可能なペニス挿入孔４１Ａによれば、ペニス９１の外径の大小サイズに応じて各三角片４８が上方にめくれ上がってペニス９１の根元の外周にフィットするように装着される。従って、これら三角片４８により開閉可能なペニス挿入孔４１Ａにペニス９１を挿入した状態では、ペニス挿入孔４１の隙間でペニス９１が自由に動くような不安定感を生じさせず、また、ペニス挿入孔４１によりペニス９１が締め付けられる圧迫感を生じさせることもなく、自分のペニス９１の太さに合わせて各三角片４８がめくれ上がってペニス９１の根元の外周にフィットする。よって、ペニス９１の外径の大小サイズ（太さ）にかかわらずペニス９１の自由な動きがある程度規制されてペニス９１を安定した状態に保持することができ、ペニス９１の安定感、装着感に優れるという効果が発揮される。また、複数の三角片４８は、後側シート部４の中間部においてペニス９１の上部側（自分のペニスを上からながめたときに見える側）に位置する範囲にのみ形成され、ペニス９１の下部側に位置する範囲は、切り込み４７の無い閉塞領域４０となっているから、この閉塞領域４０によりペニス９１を下から支えてペニス挿入状態を一層安定させることができる。
【００２７】
図７は、開閉可能なペニス挿入孔の他の例を示す。この図７に示すペニス挿入孔４１Ｂでは、円形範囲において円の中心点から法線方向に延びる切り込み４７を３６０度の全周にわたって複数形成して３６０度の全周にわたって複数の三角片４８が形成される構成とする。このペニス挿入孔４１Ｂでも、ペニス９１の外径の大小サイズ（ペニス９１の太さ）に応じて各三角片４８がめくれ上がってペニス９１の根元の外周にフィットするように開くので、貫通孔からなるペニス挿入孔４１に比べ、ペニス９１の安定感、装着感に優れる。
【００２８】
なお、本発明は、上記各実施形態のみに限定されず、特許請求の範囲内で様々な変更を施すことが可能である。
【符号の説明】
【００２９】
１，１Ａ  男性用尿パッド
２  パッド本体
３  尿吸収体
４  後側シート部
５  前側シート部
６  粘着部
７  ギャザー部
２１  上方開口部
４１，４１Ａ，４１Ｂ  ペニス挿入孔
４２  後側シート部のシート上部
４２ａ，４２ｂ  後側シート部のシート上部の左右両端部
４３  後側シート部のシート下部
４４  芯材
４５  パンツ引っ掛け代
４６  パンツ粘着部
４７  切り込み
４８  三角片
５１  前側シート部のシート上部
５１ａ，５１ｂ  前側シート部のシート上部の左右両端部
５２  前側シート部のシート下部
８１  下着
８２  ズボン
９１  ペニス
９２  睾丸
９３  下腹部
【図１】
2019017970.tif 000003
【図２】
2019017970.tif 000004
【図３】
2019017970.tif 000005
【図４】
2019017970.tif 000006
【図５】
2019017970.tif 000007
【図６】
2019017970.tif 000008
【図７】
2019017970.tif 000009